(57)【要約】【課題】付着した箇所に止まって成長していく貝類の浮遊幼生を適切かつ大量に付着させることが可能であると共に、成長した貝類の収穫作業など、海などの水中での作業性に優れる構成を備えた浮遊幼生の育成用装置を提供する。【解決手段】水底に着床されるベース２と、ベースから立ち上げて設けられる複数本のポスト３と、ポストの下部に設けられる支持部９と、ポストの頂部に設けられる固定用連結部１０と、ポストに挿入され、支持部上に支持される底部プレート４と、固定用連結部に取り付けられ、ポストの頂部に固定される頂部プレート５と、ポストに挿入され、底部プレートと頂部プレートとの間に設けられる仕切りプレート６と、すべてのプレートの平面外形寸法よりも小さな外径寸法の中空筒状に形成され、ポストに挿入されて、プレート相互間それぞれに個々に設けられ、浮遊幼生が付着して育成される複数の可搬式育成基盤材７とを備えた。【選択図】図１
2018130081.tif 000002
【特許請求の範囲】
【請求項１】
海や湖沼等の水底に着床されるベースと、該ベースから立ち上げてかつ互いに間隔を隔てて設けられる複数本のポストと、これらポストの下部に、上記ベースから上方に間隔を隔てて設けられる支持部と、上記ポストの頂部に設けられる固定用連結部と、上記ポストにその頂部から挿抜自在に挿入され、上記支持部上に支持される底部プレートと、上記固定用連結部に着脱自在に取り付けられ、上記ポストの頂部に固定される頂部プレートと、上記ポストにその頂部から挿抜自在に挿入され、上記底部プレートと上記頂部プレートとの間にこれらから間隔を隔てて設けられる少なくとも１枚の仕切りプレートと、上記頂部プレート、上記底部プレート及び上記仕切りプレートの平面外形寸法よりも小さな外径寸法の中空筒状に形成され、上記ポストにその頂部から挿抜自在に挿入されて、少なくとも該底部プレートと該仕切りプレートとの間及び該仕切りプレートと該頂部プレートとの間に個々に設けられ、浮遊幼生が付着して育成される複数の可搬式育成基盤材とを備えたことを特徴とする浮遊幼生の育成用装置。
【請求項２】
前記仕切りプレートが２枚以上設けられ、少なくとも１つの前記可搬式育成基盤材が該仕切りプレート同士の間に設けられることを特徴とする請求項１に記載の浮遊幼生の育成用装置。
【請求項３】
前記育成基盤材の表面は凹凸表面であることを特徴とする請求項１または２に記載の浮遊幼生の育成用装置。
【発明の詳細な説明】
【技術分野】
【０００１】
本発明は、例えば、貝類の中でも、それが付着した箇所に止まって成長していくイガイ類やカキ類などの貝類の浮遊幼生を適切かつ大量に付着させることが可能であると共に、成長した貝類の収穫作業など、海などの水中での作業性に優れる構成を備えた浮遊幼生の育成用装置に関する。
【背景技術】
【０００２】
貝類を養殖するための装置として、特許文献１及び２が知られている。特許文献１の「養殖施設」は、イワガキ等の貝類の養殖に最適で、引き揚げ作業も比較的容易に行い得、かつ低コスト化も図り得る養殖施設を提供することを課題とし、沿岸の外洋域に重力式魚礁部とその上側の浮体式養殖施設部とからなる養殖施設を沈設することで、設置海域の利用範囲を広げると共に、重力式魚礁部による蝟集効果と浮体式養殖施設部による本来の養殖効果のみならず回遊性魚類の蝟集効果とを合わせ、これらの相乗効果により効果的な増殖施設を提供する。また、浮体式養殖施設部を水深の中層域に設置することで、付着生物が低減でき、イワガキ等の養殖対象水産生物の餌料である植物プランクトンを安定して供給することができると共に、回収時の引き揚げ作業も比較的容易に行える。さらに、浮体式養殖施設部を中層域に設置したので、漁船や作業船等の走行に支障をきたすこともなく、海面を有効に利用することができるというものである。
【０００３】
特許文献１では、浮体式養殖施設部でイワガキ等の貝類を養殖するにあたり、付着生物を低減させるようにし、また、稚貝を成長させる採苗器は、海流に正対しないように、横向きに寝かせて養殖ロープに取り付けられている。
【０００４】
特許文献２の「垂下連」は、採苗工程において水層中で簡便に位置がえができる作業性の良い垂下連を提供することを目的とし、棒体と、棒体に挿通した扁平なコレクタと、を有する、牡蠣その他の貝の幼生を育成する際に用いる垂下連であって、重心と浮力の作用点をずらすことにより、水中または海水中において鉛直方向に自立するようにしている。
【０００５】
特許文献２の垂下連は、錘と浮きで構成されている。また、貝の幼生を育成するコレクタは、特許文献１と同様に、スペーサ間に横向きに寝かせて取り付けられている。
【先行技術文献】
【特許文献】
【０００６】
【特許文献１】特開２００４−２２２６５０号公報
【特許文献２】特開２０１４−８２９８２号公報
【発明の概要】
【発明が解決しようとする課題】
【０００７】
海や湖沼等の水底に設置して、貝類の中でも、それが付着した箇所に止まって成長していくイガイ類やカキ類などの貝類の浮遊幼生を育成させる装置を検討する際に、養殖技術に係る特許文献１の適用を考えると、特許文献１はそもそも、稚貝を採苗器で成長させる養殖技術であって、付着生物を少なくするものであること、そしてまた、流れに漂う浮遊幼生を育成対象とする場合に、これが付着して育成されるべき採苗器が、海流と正対しないように横向きに寝かせて養殖ロープに取り付けられていることから、浮遊幼生を適切に付着させることができない。
【０００８】
このため、特許文献１の技術によっては、浮遊幼生が付着して育成される好適な装置を得ることはできないという課題があった。
【０００９】
他方、特許文献２の適用を検討すると、特許文献２もそもそも、貝の幼生をコレクタで成長させる養殖技術であって、浮遊幼生を育成対象とするとき、これが付着して育成されるべきコレクタが、横向きに寝かせて配設されているため、流れのある海などにおいて漂っている浮遊幼生を適切に付着させることができない。
【００１０】
また、錘と浮きで構成された垂下連は、流れのある場所で使用した場合には、安定した姿勢を保つことが難しく、この面からも、浮遊幼生を確実に付着させることが難しい。さらに、収穫量の面で検討すると、複数の垂下連を用いる場合、海などの水中等での相互の衝突や干渉を防ぐ必要があり、そのために間隔を広げて設置範囲が広くなると、単位面積当たりの収穫量が低下してしまい、高い生産効率を確保することができない。
【００１１】
このため、特許文献２の技術によっても、浮遊幼生を付着させて育成する好適な装置を得ることができないという課題があった。
【００１２】
本発明は上記従来の課題に鑑みて創案されたものであって、例えば、貝類の中でも、それが付着した箇所に止まって成長していくイガイ類やカキ類などの貝類の浮遊幼生を適切かつ大量に付着させることが可能であると共に、成長した貝類の収穫作業など、海などの水中での作業性に優れる構成を備えた浮遊幼生の育成用装置を提供することを目的とする。
【課題を解決するための手段】
【００１３】
本発明にかかる浮遊幼生の育成用装置は、海や湖沼等の水底に着床されるベースと、該ベースから立ち上げてかつ互いに間隔を隔てて設けられる複数本のポストと、これらポストの下部に、上記ベースから上方に間隔を隔てて設けられる支持部と、上記ポストの頂部に設けられる固定用連結部と、上記ポストにその頂部から挿抜自在に挿入され、上記支持部上に支持される底部プレートと、上記固定用連結部に着脱自在に取り付けられ、上記ポストの頂部に固定される頂部プレートと、上記ポストにその頂部から挿抜自在に挿入され、上記底部プレートと上記頂部プレートとの間にこれらから間隔を隔てて設けられる少なくとも１枚の仕切りプレートと、上記頂部プレート、上記底部プレート及び上記仕切りプレートの平面外形寸法よりも小さな外径寸法の中空筒状に形成され、上記ポストにその頂部から挿抜自在に挿入されて、少なくとも該底部プレートと該仕切りプレートとの間及び該仕切りプレートと該頂部プレートとの間に個々に設けられ、浮遊幼生が付着して育成される複数の可搬式育成基盤材とを備えたことを特徴とする。
【００１４】
前記仕切りプレートが２枚以上設けられ、少なくとも１つの前記可搬式育成基盤材が該仕切りプレート同士の間に設けられることを特徴とする。
【００１５】
前記育成基盤材の表面は凹凸表面であることを特徴とする。
【発明の効果】
【００１６】
本発明にかかる浮遊幼生の育成用装置にあっては、付着した箇所に止まって成長していく貝類の浮遊幼生を適切かつ大量に付着させることができると共に、成長した貝類の収穫作業など、水中での作業を容易かつ円滑に、効率的に行うことができる。
【図面の簡単な説明】
【００１７】
【図１】本発明にかかる浮遊幼生の育成用装置の好適な一実施形態を示す斜視図である。
【図２】図１に示した浮遊幼生の育成用装置の要部拡大側断面図である。
【図３】図１に示した浮遊幼生の育成用装置の変形例を示す要部拡大側面図である。
【発明を実施するための形態】
【００１８】
以下に、本発明にかかる浮遊幼生の育成用装置の好適な実施形態を、添付図面を参照して詳細に説明する。図１は、本実施形態にかかる浮遊幼生の育成用装置を示す斜視図、図２は、図１に示した浮遊幼生の育成用装置の要部拡大側断面図である。
【００１９】
図１及び図２に示すように、本実施形態に係る浮遊幼生の育成用装置１は主に、海や湖沼等の水底に沈められて着床されるベース２と、ベース２に配設される複数本のポスト３と、これらポスト３それぞれに、上下高さ方向に沿って多段に設けられる複数枚のプレート４，５，６と、各ポスト３に、プレート４，５，６の間に個々に配置して設けられ、付着した浮遊幼生を育成するための複数個の育成基盤材７とから構成される。
【００２０】
浮遊幼生とは、貝類の中でも、それが付着した箇所に止まって成長していくイガイ類やカキ類などの貝類の浮遊幼生をいう。
【００２１】
ベース２は、浮遊幼生の育成用装置１全体を水底に安定的に設置するために、それ自体の重さで水底に固定され得る重量のある土台として、コンクリート製で形成される。本実施形態に係る浮遊幼生の育成用装置１は、沿岸部やその周辺で、潮の流れや海流などの水流がほぼ水平となる深さであって、かつダイバーによる潜水作業を考慮して、例えば水深５〜３０ｍに設置される。
【００２２】
ベース２は、複数本のポスト３を設置するために、平面的に広がりのある大きさで形成される。ベース２は、図示例では、平面外形輪郭が正方形の直方体状に形成されている。ベース２の大きさは、例えば一辺が３ｍ程度、高さが０．８ｍ程度で形成される。ベース２の平面外形輪郭は、多角形や円形、楕円形など、どのような形状であってもよく、また、高さも適宜に設定してよい。
【００２３】
ベース２の上面２ａには、その一部がベース２に埋め込まれて、浮遊幼生の育成用装置１全体を水底に設置したり、あるいは水底から引き揚げるための揚重用ワイヤ等が掛け止めされるフック８が適宜箇所に配設される。
【００２４】
複数本のポスト３は、潮の流れなどの水流と正対するように、ベース２の上面２ａからほぼ垂直に立ち上げて設けられる。ポスト３は、柱体状であれば、どのような平断面形状であってもよい。図示例では、ポスト３は、平断面円形状に形成されている。平断面円形状であれば、後述するように中空筒状に形成されてポスト３に挿入される育成基盤材７は、向きを合わせるように位置合わせすることなく、単純にかつスムーズにポスト３に装着される。
【００２５】
ポスト３はベース２に対し、種々の方法で設けることができる。本実施形態では、各ポスト３は図２に示すように、コンクリート製の中実円柱体で形成され、当該ポストの下端部分がベース２に埋設されている。ポスト３をコンクリート製とする場合、ベース２と一体に形成するようにしてもよい。
【００２６】
他の方法としては、ポスト３は、腐食防止用のＦＲＰがその表面に一体成型された中空鋼管の内部にコンクリートを充填して構成され、このポスト３の下端部分をベース２に埋設するようにしてもよい。あるいは、ポスト３は、その頂部及び底部が開放された、もしくは頂部が封鎖された中空鋼管とされて、その下端部分をベース２に埋設するようにしてもよい。
【００２７】
複数のポスト３は、互いに間隔を隔てて設けられる。ポスト３同士の間隔は、これらポスト３の間を、潮の流れなどの水流が円滑に流通するように設定される。
【００２８】
好ましくは、例えばベース２上でダイバーが振り向く程度で、隣接するポスト３それぞれに接近し得るような間隔に設定される。図示例では、ポスト３は、ベース２の上面２ａ中央にダイバーの作業用空間Ｓが得られるように、矩形状の環状配列で８本設けられている。ポスト３の配列の態様は、どのように設定してもよい。
【００２９】
ベース２から露出している各ポスト３の下部には、ベース２の上面２ａから上方に間隔を隔てて、支持部９が設けられる。本実施形態では、支持部９は、ポスト３の周りに互いに適宜間隔を隔てて設けられ、当該ポスト３に一端が接合されかつ他端がポスト３の径方向外方へ突出された複数の鋼製あるいはＦＲＰ製の突片９ａで構成される。
【００３０】
複数の突片９ａで構成された支持部９上には、複数枚のプレート４，５，６のうち、最下部に位置されるプレート（底部プレート）４が載せられ、これにより、底部プレート４が支持部９を介してポスト３に支持される。支持部９は、底部プレート４をその上に載せることができれば、他の構成であってもよい。
【００３１】
各ポスト３の頂部には、複数枚のプレート４，５，６のうち、最上部に位置されるプレート（頂部プレート）５をポスト３に固定し、これにより、他のプレート４，６及び育成基盤材７をポスト３に対し、上下高さ方向に位置固定するための固定用連結部１０が設けられる。
【００３２】
固定用連結部１０は本実施形態にあっては、ポスト３の頂部に埋設され、防錆処理された固定用ボルト１１が着脱自在に締結されるインサート金物１０ａによって構成される。固定用連結部１０は、頂部プレート５をポスト３に固定することができれば、他の構成であってもよい。
【００３３】
各ポスト３それぞれには、その高さ方向に沿って、複数枚のプレート４，５，６と、プレート４，５，６の枚数よりも１つ少ない複数個の育成基盤材７とが交互に設けられ、これにより、各ポスト３では、上下高さ方向に積層される複数の育成基盤材７の個々が、上下方向両側からプレート４，５，６に挟まれた形態で、当該プレート４，５，６によって仕切られて個別に配設される。
【００３４】
プレート４，５，６としては、いずれも鋼製またはＦＲＰ製であって、ポスト３の上下高さ方向で、一番下に設けられる上記底部プレート４と、一番上に設けられる上記頂部プレート５と、これら頂部プレート５と底部プレート４との間にこれらから間隔を隔てて設けられる少なくとも１枚の仕切りプレート６とが備えられる。
【００３５】
仕切りプレート６が１枚の場合には、ポスト３には、仕切りプレート６の上方及び下方それぞれに、頂部プレート５と底部プレート４とで挟んで、２個の育成基盤材７が設けられる。本実施形態では、仕切りプレート６は２枚設けられていて、仕切りプレート６同士の間に挟んで、さらに３個目の育成基盤材７が設けられている。
【００３６】
頂部プレート５以外の底部プレート４及び仕切りプレート６には、これらをポスト３に挿通するための挿通穴４ａ，６ａが形成され（図２参照）、当該挿通穴４ａ，６ａを介して、これらプレート４，６は、ポスト３にその頂部から挿抜自在に挿入されて設けられる。
【００３７】
底部プレート４は、支持部９上に支持される。頂部プレート５には、挿通穴４ａ，６ａよりも小さな孔径で、固定用ボルト１１の通し孔５ａが形成される（図１参照）。従って、頂部プレート５は、ポスト３の頂部上に載置されかつ固定される。図示例にあっては、これらプレート４，５，６は、平面外形輪郭が矩形状であるが、他のどのような形状であってもよい。
【００３８】
育成基盤材７は、付着した浮遊幼生を育成するために備えられる。育成基盤材７は、ポスト３にその頂部から挿抜自在に挿入される中空筒状に形成される。ポスト３に挿入して設けられることにより、育成基盤材７は、潮の流れなどの水流に対し正対して設けられる。
【００３９】
本実施形態にあっては、育成基盤材７は、内周面及び外周面が共に円筒面の中空円筒体状に形成されているが、ポスト３への挿抜が可能であれば、内周面は円筒面でなくてもよく、外周面についても、ポスト３の上下高さ方向に沿う紡錘形状や鼓形状、螺旋形状など、どのような形態であってもよい。
【００４０】
また、育成基盤材７は、各ポスト３に対して複数個で設けられ、これにより、育成基盤材７個々は、ポスト３の高さに対し短尺な寸法であると共に、持ち運びに便利な軽量な素材、例えばＦＲＰで形成されて、可搬式に形成される。
【００４１】
ポスト３に挿入され上下のプレート４，５，６に挟まれて設けられる育成基盤材７は、その外径寸法がプレート４，６の挿通穴４ａ，６ａの穴径よりも大きく（頂部プレート５の通し孔５ａよりも、もちろん大きく）設定されて、当該育成基盤材７の上下端面が、プレート４，５，６の面に対し接離可能に当接され、これにより、育成基盤材７は、底部プレート４と下側の仕切りプレート６との間、上下に位置する仕切りプレート６同士の間、並びに、上側の仕切りプレート６と頂部プレート５との間に個々に設けられる。
【００４２】
すなわち、育成基盤材７は、図示例によれば、一番下の育成基盤材７が底部プレート４を介して支持部９上に設置され、当該一番下の育成基盤材７直上の下側の仕切りプレート６上に、真ん中の育成基盤材７が設置され、当該真ん中の育成基盤材７直上の上側の仕切りプレート６上に、一番上の育成基盤材７が設置され、この一番上の育成基盤材７が頂部プレート５の下に当該頂部プレート５で押さえ込んで設置されて、これにより、頂部プレート５を除き、他のプレート４，６及びすべての育成基盤材７が一括してポスト３に支持される。
【００４３】
育成基盤材７の上下端面と各プレート４，５，６の面とが当接する箇所で、付着した浮遊幼生が生育することにより、これら育成基盤材７とプレート４，５，６とが固着しないように、育成基盤材７とプレート４，５，６との当該当接箇所での浮遊幼生の生育を阻止するための隅角を形成するために、育成基盤材７の外径寸法は、プレート４，５，６の平面外形寸法よりも小さく設定され、これにより、プレート４，５，６と育成基盤材７との当接箇所に段差が形成される。
【００４４】
また、育成基盤材７の上下端面が当接される各プレート４，５，６の面には、潮の流れなどの水流によって育成基盤材７が動いてしまう場合に、育成基盤材７とプレート４，５，６の相互間に水平方向への位置ずれが発生して摩耗などの劣化が生じてしまうことを抑制するために、ズレ止めシート１２が敷設される。ズレ止めシート１２は、挿通穴４ａ，６ａ周りに育成基盤材７の外方へ迫り出すように、広範囲に設けられる。
【００４５】
次に、本実施形態に係る浮遊幼生の育成用装置１の作用について説明する。浮遊幼生の育成用装置１は、地上または船上で組み立てられる。組み立てに際しては、連結固定部１０及び支持部９が設けられた複数本のポスト３を一体的に備えたベース２と、ズレ止めシート１２が設けられた複数枚のプレート４〜６と、複数個の育成基盤材７と、固定用ボルト１１が用意される。また、ベース２には、フック８が設けられている。
【００４６】
各ポスト３に対し、その頂部から挿入して、支持部９の上に底部プレート４を、その上に、ズレ止めシート１２を介して、一番下の育成基盤材７を設け、その後、仕切りプレート６と育成基盤材７とを、ズレ止めシート１２を挟んで交互に設け、次いで、ポスト３の頂部に、一番上の育成基盤材７を、ズレ止めシート１２を介して押さえ込むようにして、頂部プレート５を載せ、最後に、固定用ボルト１１を連結固定部１０のインサート金物１０ａに締結する。これにより、浮遊幼生の育成用装置１が完成する。
【００４７】
完成した浮遊幼生の育成用装置１は、ベース２のフック８に掛け止めした揚重用ワイヤを介して、船上から水底に向けて降ろされる。ベース２が水底に着床したら、ダイバーが揚重用ワイヤをフック８から外すことで、設置作業が完了する。
【００４８】
浮遊幼生の育成用装置１では、潮の流れなど水流によって流され浮遊する浮遊幼生が育成基盤材７に付着することで成長していく。この際、ほぼ垂直に設けたポスト３に設けられた育成基盤材７は、潮の流れなど水流に正対するので、浮遊幼生が付着しやすい。また、ポスト３が互いに間隔を隔てて設けられているため、潮通しなど、ベース２上を水流が円滑に流通し、浮遊幼生の良好な付着と付着した浮遊幼生への十分な栄養供給が確保される。
【００４９】
また、ベース２に対し、育成基盤材７を設けるポスト３を複数本設けるようにしたので、単位面積あたりで、多くの収穫量が確保される。育成基盤材７の外径寸法がプレート４〜６の平面外形寸法よりも小さく設定されていて、育成基盤材７とプレート４〜６とが当接する境界位置で浮遊幼生が生育することが阻害されるため、プレート４〜６に対する育成基盤材７の分離、すなわち取り外しに支障が生じることがない。
【００５０】
水底に設置された浮遊幼生の育成用装置１では、水流を受けても、ズレ止めシート１２により、育成基盤材７とプレート４〜６との位置ずれが発生して摩耗による劣化が防止される。
【００５１】
浮遊幼生が成長した貝類は、例えばダイバーが潜水して作業を行うことで収穫される。ダイバーは、水底に設置されている浮遊幼生の育成用装置１に対し、固定用ボルト１１をインサート金物１０ａから外す。固定用ボルト１１をインサート金物１０ａから外すだけで、底部プレート４上のすべての育成基盤材７とプレート５，６の固定が解除されて、収穫作業の他、必要なすべての作業が可能となる。
【００５２】
頂部プレート５を取り外した後、ポスト３から、積層されている育成基盤材７を、仕切りプレート６と交互に抜き出して、回収する。育成基盤材７は、短尺で軽量な可搬式なので、取り扱いが容易である。その後、新しい育成基盤材７を、組み立て時と同様にして、底部プレート４上から、仕切りプレート６と交互に挿入していき、最後に、固定用ボルト１１を介して、頂部プレート５をポスト３の頂部に取付固定する。
【００５３】
ダイバーによる育成基盤材７の回収作業及び交換作業に際し、本実施形態では、振り向く程度で隣接するポスト３に接近し得るような間隔でポスト３を配設しているので、そしてまた、ダイバーの作業用空間Ｓが得られるようにポスト３を環状に配列しているので、きわめて容易かつ円滑に、そしてまた効率よく各種作業を行うことができる。
【００５４】
その後、ダイバーは、回収した育成基盤材７を船上に搬送し、これにより、本育成用装置１で成長した貝類が収穫される。収穫にあたっては、本育成用装置１のメンテナンス時や撤去時と同様にして、フック８に揚重用ワイヤを掛け止めして、本育成用装置１全体を船上へ引き揚げるようにしてもよい。
【００５５】
以上説明した本実施形態に係る浮遊幼生の育成用装置１にあっては、海や湖沼等の水底に着床されるベース２と、ベース２から立ち上げてかつ互いに間隔を隔てて設けられる複数本のポスト３と、これらポスト３の下部に、ベース２から上方に間隔を隔てて設けられる支持部９と、ポスト３の頂部に設けられる固定用連結部１０と、ポスト３にその頂部から挿抜自在に挿入され、支持部９上に支持される底部プレート４と、固定用連結部１０に着脱自在に取り付けられ、ポスト３の頂部に固定される頂部プレート５と、ポスト３にその頂部から挿抜自在に挿入され、底部プレート４と頂部プレート５との間にこれらから間隔を隔てて設けられる上下２枚の仕切りプレート６と、頂部プレート５、底部プレート４及び仕切りプレート６の平面外形寸法よりも小さな外径寸法の中空筒状に形成され、ポスト３にその頂部から挿抜自在に挿入されて、底部プレート４と仕切りプレート６との間、仕切りプレート６同士の間、及び仕切りプレート６と頂部プレート５との間に個々に設けられ、浮遊幼生が付着して育成される複数の可搬式育成基盤材７とを備えたので、浮遊幼生を適切かつ大量に付着させることができると共に、成長した貝類の収穫作業など、水中での作業を容易かつ円滑に、効率的に行うことができる。
【００５６】
具体的には、水底に着床されるベース２を備えているので、水中でのポスト３の姿勢を安定化することができ、これにより、育成基盤材７に浮遊幼生を適切かつ大量に付着させることができる。ポスト３がベース２から立ち上げて設けられているので、これに設ける育成基盤材７は、潮の流れなど水流に正対することとなり、容易かつ大量に浮遊幼生を付着させることが可能である。
【００５７】
ポスト３が互いに間隔を隔てて設けられているので、潮通しなど、水流が当該ポスト３周りに円滑に流通し、浮遊幼生の良好な付着と付着した浮遊幼生への十分な栄養供給を確保することができる。ベース２に対し、育成基盤材７を設けるポスト３を複数本設けるようにしたので、単位面積あたりで、多くの収穫量を確保することができる。
【００５８】
支持部９によって、底部プレート４をベース２上方に間隔を隔てて設けるようにしたので、ポスト３に設けられるすべての育成基盤材７に対し、良好な潮流れで、水流を流通させることができる。固定用ボルト１１をインサート金物１０ａから外すだけで、底部プレート４上のすべての育成基盤材７とプレート５，６の固定を解除することができ、収穫時に簡単かつ効率よく作業を進めることができると共に、組み立て作業性にも優れる。
【００５９】
育成基盤材７の外径寸法をプレート４〜６の平面外形寸法よりも小さく設定したので、育成基盤材７とプレート４〜６とが当接する境界位置での浮遊幼生の生育を阻害することができ、プレート４〜６に対する育成基盤材７の分離、すなわち取り外しに支障が生じることがなく、円滑に収穫作業を進めることができる。育成基盤材７は、短尺で軽量な素材により可搬式に形成されているので、取り扱いが容易で、収穫作業性を向上することができる。
【００６０】
ズレ止めシート１２を備えたので、水流を受けて育成基盤材７が動いても、育成基盤材７とプレート４〜６との位置ずれが発生して摩耗による劣化を防止することができる。ポスト３の間隔について、振り向く程度で隣接するポスト３に接近し得るように設定しているので、そしてまた、ダイバーの作業用空間Ｓが得られるようにポスト３を環状に配列しているので、きわめて容易かつ円滑に、そしてまた効率よく各種作業を行うことができる。
【００６１】
図３には、上記実施形態の変形例が示されている。図３は、図１に示した浮遊幼生の育成用装置の変形例を示す要部拡大側面図である。図示するように、この変形例では、水流に接する育成基盤材７の表面である外周面が凹凸表面１３で形成されている。
【００６２】
凹凸表面１３で形成すれば、浮遊幼生が付着可能な育成基盤材７の表面積を広く稼ぐことができ、上記実施形態に場合に比して、収穫量を増大することができる。凹凸表面１３は例えば、不織布を育成基盤材７の外周面に設けるなど、各種方法によって形成することができる。
【符号の説明】
【００６３】
１  浮遊幼生の育成用装置
２  ベース
３  ポスト
４  底部プレート
５  頂部プレート
６  仕切りプレート
７  育成基盤材
９  支持部
１０  固定用連結部
１３  凹凸表面
【図１】
2018130081.tif 000003
【図２】
2018130081.tif 000004
【図３】
2018130081.tif 000005